(57)【要約】【課題】視線をテストリードに向けたままで、測定値に対する判定結果を確認可能とする。【解決手段】テストリード２と、ケーブル４を介してテストリード２に接続されて、テストリード２に接触している電線などの測定対象体についての絶縁抵抗値Ｒを測定する測定部ＭＥと、テストリード２に配設された発光ダイオード１４と、測定部ＭＥで測定された絶縁抵抗値Ｒと予め規定された基準抵抗値とを比較して、その比較結果を発光ダイオード１４に表示させる処理部３４とを備えている。【選択図】図２
2013221760.tif 000002
【特許請求の範囲】
【請求項１】
テストリードと、
ケーブルを介して前記テストリードに接続されて、当該テストリードに接触している測定対象体についての物理量を測定する測定部と、
前記テストリードに配設された表示部と、
前記測定部で測定された前記物理量と予め規定された基準物理量とを比較して、その比較結果を前記表示部に表示させる処理部とを備えている測定装置。
【請求項２】
前記テストリードは、柱状のグリップ部と、当該グリップ部の一端側から当該グリップ部の長さ方向に沿って延出する接触電極部とを備え、
前記グリップ部には、前記接触電極部の延出方向とは反対の方向に向く斜面が形成され、
前記表示部は、前記斜面に配設されている請求項１記載の測定装置。
【請求項３】
前記グリップ部にはスイッチが配設され、
前記処理部は、前記スイッチが操作されたときに前記測定部に対して前記物理量の測定を開始させる請求項１または２記載の測定装置。
【発明の詳細な説明】
【技術分野】
【０００１】
本発明は、測定対象体にテストリードを接触させることによってこの測定対象体についての物理量を測定する測定装置に関するものである。
【背景技術】
【０００２】
この種の測定装置として、下記の非特許文献１に開示された絶縁抵抗を測定する測定装置（絶縁抵抗計）が知られている。この測定装置は、本体部と、一対（赤黒）のテストリードとを備え、このテストリードを一対の電線に接触させることで、この一対の電線を測定対象体として両電線間の絶縁抵抗を物理量として測定する。
【０００３】
この測定装置では、まず、黒のテストリードを一対の電線のうちの接地側の電線に接続し、赤のテストリードを残りの電線に接触させる。次いで、測定装置の測定開始スイッチ（メジャースイッチ）を押す。これにより、測定装置は、一対のテストリード間、すなわち一対の電線間の絶縁抵抗を測定し、測定した絶縁抵抗を本体部の表示器（ＬＣＤ）に表示する。
【０００４】
また、この測定装置は、コンパレータ機能（絶縁抵抗比較判定機能）を備え、予め規定されている基準値と測定した絶縁抵抗の抵抗値（測定値ともいう）とを比較して測定値を判定し、その判定結果を本体部の表示器に出力する。この測定装置では、一例として、測定値が基準値未満のときには、「Ｌｏ」の文字を表示器に表示させると共に本体部に設けられたブザーを鳴動させ、一方、測定値が基準値以上のときには、「Ｈｉ」の文字を表示器に表示させ、ブザーは鳴動させない。これにより、測定した絶縁抵抗の良否（判定結果）を確認することが可能となっている。
【先行技術文献】
【非特許文献】
【０００５】
【非特許文献１】３４５３，３４５３−０１ ディジタルメグオームハイテスタ（絶縁抵抗計）取扱説明書、２０１２年１月  改訂１４版、日置電機株式会社ホームページ、［平成２４年３月２２日検索］、インターネット＜http://hioki.jp/manual/field-c/3453A980-14.pdf＞
【発明の概要】
【発明が解決しようとする課題】
【０００６】
ところが、上記の測定装置には、以下のような改善すべき課題が存在している。すなわち、この測定装置では、測定値を基準値と比較して得られる判定結果を本体部に表示させている。一般的に、測定対象体の物理量を測定する際のオペレータの視線は、主として測定対象体に接触させるテストリードの先端側に向いているため、判定結果を確認するためには、視線をテストリード側から本体部側に移す必要がある。このため、視線をテストリードに向けた状態で、判定結果を確認し得るのが好ましい。また、上記の測定装置はブザーの鳴動の有無によって判定結果を報知する機能を備えているため、この測定装置では、視線をテストリードに向けたまま、ブザーの鳴動の有無によって判定結果を確認することも可能であるが、騒音の大きな環境ではブザーの鳴動の有無の確認が困難な場合があるため、判定結果を目視にて確認し得るのが好ましい。
【０００７】
本発明は、かかる課題を改善すべくなされたものであり、視線をテストリードに向けたままで、測定値に対する判定結果を確認させ得る測定装置を提供することを主目的とする。
【課題を解決するための手段】
【０００８】
上記目的を達成すべく請求項１記載の測定装置は、テストリードと、ケーブルを介して前記テストリードに接続されて、当該テストリードに接触している測定対象体についての物理量を測定する測定部と、前記テストリードに配設された表示部と、前記測定部で測定された前記物理量と予め規定された基準物理量とを比較して、その比較結果を前記表示部に表示させる処理部とを備えている。
【０００９】
また、請求項２記載の測定装置は、請求項１記載の測定装置において、前記テストリードは、柱状のグリップ部と、当該グリップ部の一端側から当該グリップ部の長さ方向に沿って延出する接触電極部とを備え、前記グリップ部には、前記接触電極部の延出方向とは反対の方向に向く斜面が形成され、前記表示部は、前記斜面に配設されている。
【００１０】
また、請求項３記載の測定装置は、請求項１または２記載の測定装置において、前記グリップ部にはスイッチが配設され、前記処理部は、前記スイッチが操作されたときに前記測定部に対して前記物理量の測定を開始させる。
【発明の効果】
【００１１】
請求項１記載の測定装置によれば、テストリードに表示部を配設したことにより、作業者は、テストリードから視線を逸らすことなく表示部の表示状態を確認することができ、また、確認した表示状態に基づいて測定対象体の状態についての判定結果を確実に確認することができる。したがって、この測定装置によれば、測定対象体の状態についての判定結果を確認するためにテストリードから視線を離す必要がある従来の測定装置と比較して、判定結果を認識するまでの時間を大幅に短縮することができる。
【００１２】
また、請求項２記載の測定装置によれば、テストリードのグリップ部に形成されている斜面に表示部を配設したことにより、テストリードを掴んでいる片手を伸ばした状態で測定対象体にテストリードを接触させている状況、つまりテストリードを手前側からしか視認できない状況においても、表示部の表示状態（つまり、測定対象体の状態についての判定結果）を確実に確認することができる。
【００１３】
また、請求項３記載の測定装置によれば、テストリードにスイッチを配設したことにより、テストリードから視線を逸らすことなくスイッチを操作することができるため、測定対象体とテストリードと接触状態を良好な状態に維持しつつ、測定対象体の物理量を測定することができる。したがって、この測定装置によれば、測定対象体の物理量を正確に測定することができるため、測定した物理量に基づいて測定対象体の状態を正確に判定することができる。
【図面の簡単な説明】
【００１４】
【図１】絶縁抵抗計１の外観図である。
【図２】絶縁抵抗計１の構成図である。
【発明を実施するための形態】
【００１５】
以下、測定装置の実施の形態について、添付図面を参照して説明する。なお、本例では、測定装置の一例として、物理量としての測定対象体の絶縁抵抗を測定する絶縁抵抗計１を例に挙げて説明する。
【００１６】
最初に、絶縁抵抗計１の構成について、図１，２を参照して説明する。
【００１７】
絶縁抵抗計１は、図１，２に示すように、一例として、一対のテストリード２，３、ケーブル４，５および本体部６を備え、測定対象体（例えば、電線など）の物理量としての絶縁抵抗値Ｒを測定可能に構成されている。
【００１８】
テストリード２は、図１，２に示すように、ケース１１、接触電極１２、スイッチ１３、および表示部としての発光ダイオード１４を備え、ケーブル４を介して本体部６に接続されている。ケース１１は、一例として、柱状のグリップ部２１、およびグリップ部２１の一端側（図１中の左端側）からグリップ部２１の長さ方向に沿って延出するリード部２２を備え、絶縁材料（例えば、絶縁性を有する樹脂材料）を用いて構成されている。なお、テストリード２については、その構成の理解を容易にするため、テストリード３および本体部６よりも誇張して大きく記載している。
【００１９】
接触電極１２は、リード部２２の先端に配設されている。この構成により、接触電極１２とリード部２２とで構成される接触電極部２３は、グリップ部２１の一端側からグリップ部２１の長さ方向に沿って延出する状態でグリップ部２１に配設されている。
【００２０】
グリップ部２１は、全体に亘って片手で保持可能な太さに形成されると共に、本例では一例として、中間部位を境として、一端側の部位が他端側（図１中の右端側）の部位よりも太い形状に構成されている。また、この構成に伴い、グリップ部２１の中間部位（一端側の部位と他端側の部位との境界部分）には、斜面（接触電極１２の延出方向とは反対の方向（グリップ部２１の他端側の部位方向）に向く斜面）２１ａが形成されている。スイッチ１３は、一例として、押しボタン式スイッチで構成されて、上記のように構成されたグリップ部２１における一端側の部位の表面に配設されている。発光ダイオード１４は、グリップ部２１の外方から視認可能な状態で斜面２１ａに配設されている。また、発光ダイオード１４は、処理部３４（図２参照）によって制御されることにより、一例として、赤色および緑色のうちの任意の一方の色で点灯可能に構成されている。
【００２１】
テストリード３は、一例として導電性の材料で形成された鰐口クリップで形成されている。また、テストリード３は、ケーブル５を介して本体部６に接続されている。
【００２２】
本体部６は、一例として、本体ケース３１、電圧生成部３２、電流測定部３３、処理部３４および出力部３５を備えている。本体ケース３１は、絶縁材料（例えば、絶縁性を有する樹脂材料）を用いて、一例として直方体に形成されて、電圧生成部３２、電流測定部３３および処理部３４を収容する。また、図１に示すように、本体ケース３１の一つの面（正面）には、後述するように表示装置で構成された出力部３５が配設されている。
【００２３】
電圧生成部３２は、電流測定部３３および処理部３４と共に測定部ＭＥを構成し、ケーブル５内の配線を介してテストリード３に接続されている。また、電圧生成部３２は、処理部３４によって制御されて、本体ケース３１内の基準電位（本体部６の内部グランド）Ｇを基準とした既知の電圧値Ｖ１の測定用電圧Ｖを生成して、ケーブル５を介してテストリード３に出力する。
【００２４】
電流測定部３３は、テストリード２の接触電極１２に接続されているケーブル４内の配線と基準電位Ｇとの間に配設されている。また、電流測定部３３は、テストリード２，３間に測定対象体が接続され、かつ電圧生成部３２からテストリード３を介して測定対象体に測定用電圧Ｖが印加されている状態において、電圧生成部３２から、ケーブル５、テストリード３、測定対象体、テストリード２、ケーブル４および電流測定部３３を経由して基準電位Ｇに至る電流経路に流れる電流Ｉ（つまり、測定対象体に流れる電流）の電流値Ｉ１を測定して処理部３４に出力する。
【００２５】
処理部３４は、一例として、ＣＰＵおよびメモリ（いずれも図示せず）を備えて、測定部ＭＥの他の構成要素（具体的には電圧生成部３２）および出力部３５に対する制御処理を実行する。また、処理部３４は、ケーブル４内の配線を介してテストリード２のスイッチ１３に接続されて、スイッチ１３に対する操作状態（本例では、スイッチ１３が押されている状態か否か）を検出可能に構成されて、スイッチ１３が押されている状態を検出したときには、抵抗測定処理および抵抗判定処理を実行する。また、処理部３４は、この抵抗測定処理では、測定用電圧Ｖの電圧値Ｖ１と電流Ｉの電流値Ｉ１とに基づいて、測定対象体の絶縁抵抗値Ｒを算出（測定）し、また、この抵抗判定処理では、算出した絶縁抵抗値Ｒに基づいて測定対象体の絶縁状態を判定する。
【００２６】
また、処理部３４は、ケーブル４内の配線を介して発光ダイオード１４と接続されて、発光ダイオード１４に対する点灯制御を実行可能に構成されている。また、処理部３４を構成するメモリには、測定用電圧Ｖの電圧値Ｖ１、および抵抗測定処理で測定した絶縁抵抗値Ｒの良否を抵抗判定処理において判定するための基準抵抗値（基準物理量）が予め記憶されている。出力部３５は、一例として、ＬＣＤ（Liquid Crystal Display）などの表示装置で構成されて、測定部ＭＥを構成する処理部３４で測定された絶縁抵抗値Ｒの値を表示する。
【００２７】
次に、絶縁抵抗計１による測定対象体（電線）の絶縁抵抗値Ｒについての測定動作について図面を参照して説明する。
【００２８】
まず、作業者は、テストリード３を、例えば接地されたアース棒などに接続することにより、接地電位に規定する。次いで、作業者はテストリード２のグリップ部２１を片手で掴んで、接触電極１２を測定対象体に接触させ、この状態で、スイッチ１３を押すことで、絶縁抵抗計１に対して測定対象体の絶縁抵抗値Ｒを測定させると共に、測定した絶縁抵抗値Ｒの判定（検査）を実行させる。この絶縁抵抗計１では、テストリード２にスイッチ１３が配設されているため、作業者は、テストリード２から視線を逸らすことなくスイッチ１３を操作することが可能であり、これにより、測定対象体とテストリード２との接触状態を良好な状態に維持しつつ、絶縁抵抗計１に対して絶縁抵抗値Ｒの測定を開始させることが可能となっている。
【００２９】
絶縁抵抗計１では、処理部３４がこのスイッチ１３に対する操作を検出して、抵抗測定処理を実行する。この抵抗測定処理では、処理部３４は、まず、電圧生成部３２および電流測定部３３と共に測定部ＭＥとして機能して、テストリード２を接触させている測定対象体と接地との間の絶縁抵抗値Ｒを測定する。具体的には、処理部３４は、まず、電圧生成部３２に対する制御を実行して、測定用電圧Ｖの生成を開始させる（つまり、測定用電圧Ｖの測定対象体への印加を開始させる）。次いで、処理部３４は、上記の電流経路に流れる電流Ｉの電流値Ｉ１を電流測定部３３から取得する。続いて、処理部３４は、この取得した電流値Ｉ１とメモリに記憶されている測定用電圧Ｖの電圧値Ｖ１とに基づいて、測定対象体の絶縁抵抗値Ｒを算出（測定）してメモリに記憶する。最後に、処理部３４は、算出した絶縁抵抗値Ｒを出力部３５に表示させる。これにより、抵抗測定処理が完了する。
【００３０】
次いで、処理部３４は、抵抗判定処理を実行する。この抵抗判定処理では、処理部３４は、メモリに記憶されている測定した絶縁抵抗値Ｒと予め記憶されている基準抵抗値とを読み出して比較する。処理部３４は、この比較の結果、測定した絶縁抵抗値Ｒが基準抵抗値以上のときには、測定対象体の絶縁状態（測定対象体の状態）が良好であると判定して、発光ダイオード１４に対する点灯制御を実行することにより、発光ダイオード１４を緑色で点灯させる。一方、処理部３４は、この比較の結果、測定した絶縁抵抗値Ｒが基準抵抗値未満のときには、測定対象体の絶縁状態が不良であると判定して、発光ダイオード１４に対する点灯制御を実行することにより、発光ダイオード１４を赤色で点灯させる。以上により、抵抗測定処理および抵抗判定処理が終了する。
【００３１】
このように、この絶縁抵抗計１によれば、テストリード２に発光ダイオード１４を配設したことにより、作業者は、テストリード２から視線を逸らすことなく発光ダイオード１４の点灯状態（表示状態）を確認することができ、また、確認した点灯状態に基づいて測定対象体についての絶縁状態の良否（測定値に対する判定結果）を確実に確認することができる。したがって、この絶縁抵抗計１によれば、測定対象体の絶縁状態の判定結果を確認するためにテストリード２から視線を離す必要がある従来の測定装置と比較して、絶縁状態の良否を認識するまでの時間を大幅に短縮することができる。
【００３２】
また、この絶縁抵抗計１によれば、テストリード２のグリップ部２１に形成されている斜面２１ａ、つまり、接触電極１２の延出方向とは反対の方向（グリップ部２１の他端側の部位方向）に向く斜面２１ａに発光ダイオード１４を配設したことにより、テストリード２を掴んでいる片手を伸ばした状態で測定対象体にテストリード２を接触させている状況、つまりテストリード２を手前側（グリップ部２１の他端側の部位側）からしか視認できない状況においても、発光ダイオード１４の点灯状態を確実に確認することができる。
【００３３】
また、この絶縁抵抗計１によれば、テストリード２にスイッチ１３を配設したことにより、テストリード２から視線を逸らすことなくスイッチ１３を操作することができるため、測定対象体とテストリード２との接触状態を良好な状態に維持しつつ、測定対象体の絶縁抵抗値Ｒを測定することができる。したがって、この絶縁抵抗計１によれば、測定対象体の絶縁抵抗値Ｒを正確に測定することができるため、測定対象体の絶縁状態の良否を正確に判定することができる。
【００３４】
なお、測定対象体としての物理量の一例としての絶縁抵抗値Ｒを測定して判定する測定装置である絶縁抵抗計１を例に挙げて説明したが、測定対象体の物理量としての電圧値や電流値を測定して判定する測定装置である電圧計や電流計、および測定対象体の物理量としての温度を測定して判定する測定装置である温度計などにも適用することができる。
【００３５】
また、発光ダイオード１４の一例として、緑色と赤色の２色で点灯する構成の発光ダイオードを例に挙げて説明したが、点灯色は任意の色に規定することができる。また、１色で点灯する発光ダイオードを２つ使用して発光ダイオード１４（表示部）とする構成を採用することもできる。また、１色で点灯する発光ダイオードを発光ダイオード１４（表示部）として使用して、測定した物理量と基準物理量との比較結果を、発光ダイオード１４が点灯するか否か（表示状態）によって表示させる構成を採用することもできる。また、テストリード２に配設する表示部の一例として、発光ダイオード１４を使用する構成を採用しているが、発光ダイオードに代えて、ランプを使用する構成を採用することもできるし、ＬＣＤなどのディスプレイ装置を使用して、良否を示す文字や記号などを表示させる構成を採用することもできる。
【００３６】
また、手前側（グリップ部２１の他端側の部位側）からの発光ダイオード１４の視認性を高めるために、グリップ部２１に上記の斜面２１ａを形成して、そこに発光ダイオード１４を配設する構成について説明したが、発光ダイオード１４の視認性を高める必要のないときには、グリップ部２１に上記の斜面２１ａを形成しない構成を採用することもでき、この構成では発光ダイオード１４をグリップ部２１の表面における任意の位置に配設することができる。
【符号の説明】
【００３７】
１  絶縁抵抗計
２，３  テストリード
１３  スイッチ
１４  発光ダイオード
３２  電圧生成部
３３  電流測定部
３４  処理部
ＭＥ  測定部
【図１】
2013221760.tif 000003
【図２】
2013221760.tif 000004